(57)【要約】【課題】  カラオケ楽曲の演奏を中止させる際に、故意や過失による操作を排除して、歌唱者の意思に反することなく演奏を中止させる。【解決手段】  複数のマイクロホン（ワイヤレスマイク２７ａ，２７ｂ）にそれぞれ付帯された演奏中止指示手段（演奏中止スイッチ２８ａ，２８ｂ）からの演奏中止指示に基づいて、任意のカラオケ楽曲の演奏を中止させる演奏中止手段４８ａを有する。各マイクロホンからの音声入力の有無を判定するためのマイク別音声入力判定手段４９と、当該カラオケ楽曲の演奏中に、音声が入力されていると判定されたマイクロホン（例えばワイヤレスマイク２７ａ）について、その演奏中止指示手段（例えば演奏中止スイッチ２８ａ）からの演奏中止指示を有効化させるための演奏中止機能制御手段５０と、を備える。【選択図】  図２
2010237387.tif 000002
【特許請求の範囲】
【請求項１】
複数のマイクロホンにそれぞれ付帯された演奏中止指示手段からの演奏中止指示に基づいて、任意のカラオケ楽曲の演奏を中止させる演奏中止機能を有するカラオケシステムであって、マイク別音声入力判定手段と、演奏中止機能制御手段と、を備え、
前記マイク別音声入力判定手段は、任意のカラオケ楽曲が演奏されている際に、各マイクロホンからの音声入力の有無を判定し、
前記演奏中止機能制御手段は、当該カラオケ楽曲の演奏中に、音声が入力されていると判定されたマイクロホンについて、その演奏中止指示手段からの演奏中止指示を有効化させる、
ことを特徴とする演奏中止機能付きカラオケシステム。
【請求項２】
前記演奏中止機能制御手段は、音声が入力されていると判定されたすべてのマイクロホンからの演奏中止指示が合った場合のみに、その演奏中止指示手段からの演奏中止指示を有効化させる、
ことを特徴とする請求項１に記載の演奏中止機能付きカラオケシステム。
【発明の詳細な説明】
【技術分野】
【０００１】
本発明は、任意のカラオケ楽曲が演奏されている際に、当該カラオケ楽曲の演奏を中止させる演奏中止機能を有するカラオケシステムに関するものである。
【背景技術】
【０００２】
カラオケ演奏装置を利用して歌唱を行う際には、必ずしもカラオケ楽曲の最後まで歌いきるとは限らず、歌唱の途中でカラオケ楽曲の演奏中止を望む場合があるため、現在普及しているカラオケ演奏装置は、演奏中止機能を有している。カラオケ楽曲の演奏中に当該演奏を中止させるには、例えば、カラオケリモコン装置に設けられた演奏中止ボタンを操作すればよい。ところで、歌唱者はマイクロホンを手に持って歌唱を行うのが一般的であり、この際、カラオケリモコン装置は歌唱者ではなく聴取者の手元にある。したがって、カラオケリモコン装置を用いて演奏中止操作を行うのは聴取者ということになり、歌唱者の意思に反して演奏が中止されてしまうことがある。このような状況になると、歌唱者は興ざめし、カラオケ演奏装置を用いた歌唱の楽しさを味わうことができなくなってしまう。
【０００３】
そこで、従来、カラオケ楽曲の演奏中止を指示するための手段をマイクロホンに設けることにより、歌唱者の意思に反することなく演奏中止を行うことができるような技術が開示されている（特許文献１参照）。特許文献１に記載された技術は、演奏手段と、ワイヤレスマイクと、受信手段と、制御手段とを備えている。そして、演奏手段は、制御手段の制御に従ってカラオケ楽曲を演奏し、ワイヤレスマイクは、送信手段の動作をオンオフさせるスイッチを有し、受信手段は、ワイヤレスマイクの受信信号から復調した歌唱音声信号をアンプに供給するとともに、受信信号の有無をあらわす状態信号を出力し、制御手段は、演奏手段にカラオケ楽曲を演奏させている際、状態信号が有から無に変化すると、当該楽曲の演奏をフェードアウトさせて中止するようになっている。
【０００４】
また、誤操作によるカラオケ楽曲演奏の強制終了を防止するための技術が開示されている（特許文献２参照）。特許文献２に記載された技術は、演奏手段と、音量測定手段と、制御手段とを備えている。そして、演奏手段は、制御手段の制御に従ってカラオケデータに基づいてカラオケ楽曲を演奏し、音量測定手段は、マイクロホンに入力される音声の音量値を出力し、制御手段は、演奏中止処理と、音声入力判断処理と、演奏継続処理とを実行する。ここで、演奏中止処理は、カラオケ演奏手段に楽曲演奏を行わせている際、所定のユーザ入力があると、当該演奏を中止する。また、音声入力判断処理は、カラオケ演奏手段に楽曲演奏を行わせている際、音量測定手段からの音量値に基づいて歌唱継続中か否かを認識する。また、演奏継続処理は、音声入力判断処理において、歌唱継続中であると認識しているときには演奏中止処理を実行しない。
【先行技術文献】
【特許文献】
【０００５】
【特許文献１】特開２００７−５７８３８号公報
【特許文献２】特開２００７−２７１９７５号公報
【発明の概要】
【発明が解決しようとする課題】
【０００６】
ところで、一般的なカラオケ演奏装置は、デュエット曲等を想定して２本以上のマイクロホンを備えており、歌唱者が一方のマイクロホンを手に持って歌唱していたとしても、他方のマイクロホンは聴取者の手元にあることになる。したがって、カラオケ楽曲の演奏中止を指示するための手段をマイクロホンに設けた場合であっても、聴取者の手元にあるマイクロホンを用いてカラオケ楽曲の演奏中止指示を行うことが可能である。また、歌唱継続中であると認識しているときは演奏中止処理を実行しない構成とした場合には、歌唱継続中か否かはマイクロホンから入力される音量値に基づいて判断される。したがって、間奏のように歌唱者が歌唱していない場合には、歌唱者の意に反して演奏中止処理が行われてしまうおそれがある。
【０００７】
このように、聴取者が操作を誤って、あるいは悪戯でカラオケ楽曲の演奏を中止させてしまうと、歌唱者の意思に反して演奏が中止されることになり、上述したように、歌唱者は興ざめし、カラオケ演奏装置を用いた歌唱の楽しさを味わうことができない。
【０００８】
本発明は、上述した事情に鑑み提案されたもので、カラオケ楽曲の演奏を中止させる際に、故意や過失による操作を排除して、歌唱者の意思に反することなく演奏を中止させることが可能な演奏中止機能付きカラオケシステムを提供することを目的とする。
【課題を解決するための手段】
【０００９】
本発明の演奏中止機能付きカラオケシステムは、上述した目的を達成するため、以下の特徴点を有している。すなわち、本発明の演奏中止機能付きカラオケシステムは、複数のマイクロホンにそれぞれ付帯された演奏中止指示手段からの演奏中止指示に基づいて、任意のカラオケ楽曲の演奏を中止させる演奏中止機能を有するカラオケシステムであって、マイク別音声入力判定手段と、演奏中止機能制御手段と、を備えている。
【００１０】
マイク別音声入力判定手段は、任意のカラオケ楽曲が演奏されている際に、各マイクロホンからの音声入力の有無を判定するための手段である。演奏中止機能制御手段は、当該カラオケ楽曲の演奏中に、音声が入力されていると判定されたマイクロホンについて、その演奏中止指示手段からの演奏中止指示を有効化させるための手段である。
【００１１】
このような構成からなるカラオケシステムは、複数のマイクロホンを備えており、各マイクロホンに付帯された演奏中止スイッチ等からなる演奏中止指示手段からの演奏中止指示に基づいて、カラオケ楽曲の演奏を中止する機能を有している。本発明では、マイク別音声入力判定手段の機能により、各マイクロホンからの音声入力の有無を判定する。そして、演奏中止機能制御手段の機能により、音声が入力されていると判定されたマイクロホンについて、その演奏中止指示手段からの演奏中止指示を有効化させる。すなわち、歌唱者が使用しており、音声が入力されているマイクロホンからの演奏中止指示のみが有効なものとなり、当該有効な演奏中止指示信号に基づいて演奏中止機能が働く。一方、歌唱者が使用しておらず音声が入力されていないマイクロホンからの演奏中止指示は無効なものとなる。
【００１２】
また、演奏中止機能制御手段の機能として、音声が入力されていると判定されたすべてのマイクロホンからの演奏中止指示があった場合のみに、その演奏中止指示手段からの演奏中止指示を有効化させてもよい。
【００１３】
このような構成からなるカラオケシステムでは、デュエット曲のように複数のマイクロホンが同時に使用されていると、複数の歌唱者がそれぞれ同時に使用しているすべてのマイクロホンの演奏中止指示手段からの演奏中止指示を受けた場合のみに、演奏中止機能が働く。
【発明の効果】
【００１４】
本発明の演奏中止機能付きカラオケシステムによれば、歌唱者が使用しており、音声が入力されているマイクロホンのみについて、演奏中止指示手段からの演奏中止指示が有効化される。したがって、歌唱者が使用しておらず、聴取者の手元にあって音声が入力されていないマイクロホンを用いて、悪戯で、あるいは誤操作でカラオケ楽曲の演奏の中止を指示したとしても、当該演奏中止指示は無効なものとなる。このため、歌唱者の意思に反して演奏が中止されることがなく、カラオケ演奏装置を用いた歌唱の楽しさを十分に味わうことが可能となる。
【００１５】
また、デュエット曲のように複数のマイクロホンが同時に使用されており、複数の歌唱者がそれぞれ使用しているすべてのマイクロホンからの演奏中止指示を受けた場合のみに演奏中止機能が働くような構成とした場合には、カラオケ楽曲の演奏中止に際して、歌唱を行っているすべての歌唱者が同時に演奏中止を希望した場合のみに演奏を中止させることが可能となる。すなわち、歌唱を行っている一部の歌唱者でも歌唱を希望する場合には、演奏は中止されない。また、一の歌唱者が誤って演奏中止指示手段を操作して演奏中止指示が出された場合であっても、他の歌唱者が演奏中止指示手段を操作して演奏中止指示が出されない限り演奏中止機能が働かないので、誤操作による演奏中止を回避することが可能となる。
【図面の簡単な説明】
【００１６】
【図１】本発明の実施形態に係る演奏中止機能付きカラオケシステムを適用するカラオケ演奏装置のブロック図。
【図２】演奏中止制御の第１の実施形態を説明する説明図。
【図３】演奏中止制御の第２の実施形態を説明する説明図。
【図４】演奏中止制御の第２の実施形態を説明する説明図。
【発明を実施するための形態】
【００１７】
以下、図面を参照して、本発明の演奏中止機能付きカラオケシステムの実施形態を説明する。本発明の実施形態に係る演奏中止機能付きカラオケシステムは、複数のマイクロホンにそれぞれ付帯された演奏中止指示手段からの演奏中止指示信号に基づいて、当該カラオケ楽曲の演奏を中止させる演奏中止機能を有しており、基本的な構成要素として、マイク別音声入力判定手段と、演奏中止機能制御手段と、を備えている。
【００１８】
図１に、本発明の実施形態に係る演奏中止機能付きカラオケシステムを適用するカラオケ演奏装置の構成を示す。なお、本実施形態では、一般的に普及しているＦＭ波を搬送波とするワイヤレスマイクを使用する。したがって、ワイヤレスマイクから発信される歌唱音声信号を受信するための受信器は、ＦＭ受信器となっているが、他の方式のワイヤレスマイクを用いる場合には、その方式に適応した受信器を使用することになる。
【００１９】
＜カラオケ演奏装置＞
本発明の実施形態のカラオケ演奏装置１１は、図１に示すように、カラオケ本体２１、カラオケリモコン装置２２、表示装置２３、ミキシングアンプ２４、スピーカ２５、ＦＭ受信器２６、２本のワイヤレスマイク２７ａ，２７ｂを備えている。
【００２０】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース（楽曲索引ＤＢ）２２ｂ、データの送受信を行うための回路基板及びプログラム、フラッシュメモリ等からなる記憶手段（図示せず）を備えている。
【００２１】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２２】
＜カラオケ本体＞
カラオケ本体２１は、中央制御手段４１、ＲＯＭ４２、ＲＡＭ４３、ＨＤＤ４４、送受信手段４５、予約管理手段４６、映像再生制御手段４７、音楽再生制御手段４８、演奏中止手段４８ａ、マイク別音声入力判定手段４９、演奏中止機能制御手段５０、マイク用受信手段５１を備えている。
【００２３】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２４】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａが格納されている。
【００２５】
＜ＨＤＤ＞
ＨＤＤ４４は、大容量記憶装置として機能するもので、楽曲データベース（楽曲ＤＢ）４４ａ、映像データベース（映像ＤＢ）４４ｂが格納されている。なお、ＨＤＤ４４に替えて、あるいはＨＤＤ４４とともに、データを書き替え可能なＤＶＤ等の大容量記憶装置を用いてもよい。
【００２６】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。映像データベース４４ｂは、演奏されるカラオケ楽曲に対応した背景映像を、当該カラオケ楽曲の楽曲ＩＤに対応させた映像ファイルとして所定数格納したデータベースである。
【００２７】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００２８】
＜予約管理手段＞
予約管理手段４６は、利用者により楽曲検索手段２２ａの機能を用いて選曲され、送受信手段４５を介して送信された当該選曲者の利用者情報（例えば利用者ＩＤ）及び選曲された楽曲ＩＤを対応付けて予約待ち行列４３ａとしてＲＡＭ４３に格納し、管理するためのプログラムである。なお、楽曲選択の表示や予約待ち行列４３ａの表示は、カラオケリモコン装置２２の入出力表示部（図示せず）及び表示装置２３のいずれか一方、あるいは双方で行うことができる。
【００２９】
＜映像再生制御手段／表示装置＞
映像再生制御手段４７は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２３に出力するための電子回路である。
【００３０】
表示装置２３は、カラオケ演奏時の映像、歌詞テロップ等を表示するための装置で、例えば、ＣＲＴディスプレイ、液晶ディスプレイ、プラズマディスプレイ等により構成される。
【００３１】
＜ワイヤレスマイク＞
本実施形態では２本のワイヤレスマイク２７ａ，２７ｂを備えており、各ワイヤレスマイク２７ａ，２７ｂを用いて、それぞれ歌唱者の音声が入力される。後に詳述するが、各ワイヤレスマイク２７ａ，２７ｂには、それぞれ別個のチャンネルが設定されている。また、各ワイヤレスマイク２７ａ，２７ｂは、演奏中止指示手段として機能する演奏中止スイッチ２８ａ，２８ｂをそれぞれ備えている。歌唱者は、演奏中止スイッチ２８ａ，２８ｂを操作することにより、マイク用受信手段５１を介して、カラオケ本体２１に演奏中止指示信号を送信することができる。なお、ワイヤレスのマイクロホンではなく、ワイヤードのマイクロホンを用いることもできる。
【００３２】
＜ＦＭ受信器＞
ＦＭ受信器２６は、ＦＭ波を搬送波とするワイヤレスマイク２７ａ，２７ｂからの歌唱音声信号を受信するための装置である。後に詳述するが、ＦＭ受信器２６で受信した歌唱音声信号がミキシングアンプ２４に入力され、音楽再生制御手段４８から送出される演奏音声信号とミキシングされる。また、ワイヤレスマイク２７ａ，２７ｂから音声入力があるか否かを判定するために、音声入力がある旨の信号がカラオケ本体２１に送信される。なお、ワイヤードのマイクロホンを使用する場合には、ＦＭ受信器２６は不要であり、マイクロホンからの音声入力信号は直接、ミキシングアンプ２４に入力される。この場合であっても、マイクロホンから音声入力があるか否かを判定するために、音声入力がある旨の信号がカラオケ本体２１に送信される。
【００３３】
＜音楽再生制御手段＞
音楽再生制御手段４８は、楽曲ＩＤに基づいて楽曲データベース４４ａから抽出された演奏データをデジタル再生するとともにアナログ変換してミキシングアンプ２４に出力するための電子回路である。ミキシングアンプ２４は、ワイヤレスマイク２７ａ，２７ｂからＦＭ受信器２６を介して入力された歌唱者の歌唱音声信号と、音楽再生制御手段４８から送出される演奏音声信号とをミキシングするとともに、アンプ機能により増幅してスピーカ２５より出力させるための装置である。
また、音楽再生制御手段４８は、演奏中止手段４８ａとして機能させるためのプログラムを含んでいる。
【００３４】
＜演奏中止手段＞
演奏中止手段４８ａは、演奏中止スイッチ２８ａ，２８ｂからの演奏中止信号に基づいて、カラオケ楽曲の演奏を中止させるためのプログラムからなる。すなわち、マイク用受信器５１を介して、各ワイヤレスマイク２７ａ，２７ｂの演奏中止スイッチ２８ａ，２８ｂからの演奏中止信号を受信すると、演奏中止手段４８ａの機能によりカラオケ楽曲の演奏が中止される。なお、本実施形態では、各ワイヤレスマイク２７ａ，２７ｂの演奏中止スイッチ２８ａ，２８ｂからの演奏中止信号を無条件に有効とするのではなく、基本的には、音声が入力されていると判定されたワイヤレスマイク（２７ａ又は２７ｂの少なくとも一方）からの演奏中止信号のみを有効なものとして扱う。また、音声が入力されていると判定されたすべてのワイヤレスマイク（２７ａ及び２７ｂの双方）からの演奏中止信号を受信した場合のみに、当該演奏中止信号を有効なものとして扱うこともできる。
【００３５】
＜マイク別音声入力判定手段＞
マイク別音声入力判定手段４９は、任意のカラオケ楽曲が演奏されている際に、各ワイヤレスマイク２７ａ，２７ｂからの音声入力の有無を判定するためのプログラムからなる。すなわち、マイク別音声入力判定手段４９では、ＦＭ受信器２６が音声信号を受信したワイヤレスマイク（２７ａ又は２７ｂの少なくとも一方）を、その周波数チャンネルに基づいて特定する。
【００３６】
ここで、一般的なカラオケ演奏装置のワイヤレスマイク２７ａ，２７ｂで使用されている周波数帯はＢ型帯であり、８０６．１２５ＭＨｚ〜８０９．７５０ＭＨｚの範囲において、１２５ｋＨｚピッチで３０のチャンネルが設定されている。そして、各チャンネルは６グループ（６チャンネルの４グループ、５チャンネルの１グループ、１チャンネルの１グループ）に分けられており、同一グループ内の各チャンネル同士にて混信が生じないようにチャンネルプランされている。したがって、各ワイヤレスマイク２７ａ，２７ｂは、設定されたチャンネルに基づいて、それぞれ識別することができる。例えば、２本のワイヤレスマイク２７ａ，２７ｂがある場合には、各ワイヤレスマイク２７ａ，２７ｂに対して、それぞれ同一グループに属する第１チャンネルと第３チャンネルとを設定することができる。
【００３７】
＜演奏中止機能制御手段＞
演奏中止機能制御手段５０は、カラオケ楽曲の演奏中に、音声が入力されていると判定されたワイヤレスマイク（２７ａ又は２７ｂの少なくとも一方）について、その演奏中止スイッチ２８ａ，２８ｂからの演奏中止指示信号を有効化させるためのプログラムからなる。例えば、それぞれ第１チャンネルと第３チャンネルとに設定された２本のワイヤレスマイク（２７ａ及び２７ｂ）がある場合に、第１チャンネルからの音声信号のみを受信した場合には、第１チャンネルに設定されたワイヤレスマイク２７ａのみについて、演奏中止スイッチ２８ａからの演奏中止指示信号を有効なものとして扱い、第３チャンネルに設定されたワイヤレスマイク２７ｂについては、演奏中止スイッチ２８ｂからの演奏中止指示信号を無効なものとして扱う。
【００３８】
また、デュエット曲のように、２本のワイヤレスマイク２７ａ，２７ｂが同時に使用されている場合には、音声が入力されていると判定されたすべてのワイヤレスマイク（２７ａ及び２７ｂの双方）からの演奏中止指示があった場合のみに、その演奏中止スイッチ２８ａ，２８ｂからの演奏中止指示信号を有効化させてもよい。
【００３９】
例えば、それぞれ第１チャンネルと第３チャンネルとに設定された２本のワイヤレスマイク（２７ａ及び２７ｂ）があり、双方のワイヤレスマイク（２７ａ及び２７ｂ）から音声信号が入力されていると仮定する。この場合、第１チャンネルに設定されたワイヤレスマイク２７ａからの演奏中止信号を受信するとともに、第３チャンネルに設定されたワイヤレスマイク２７ｂからの演奏中止信号を受信した場合のみに、それらの演奏中止スイッチ２８ａ，２８ｂからの演奏中止指示信号を有効なものとして扱う。一方、第１チャンネルに設定されたワイヤレスマイク２７ａからの演奏中止信号のみを受信しても、その演奏中止スイッチ２８ｂからの演奏中止指示信号を無効なものとして扱う。同様に、第３チャンネルに設定されたワイヤレスマイク２７ｂからの演奏中止信号のみを受信しても、その演奏中止スイッチ２８ｂからの演奏中止指示信号を無効なものとして扱う。
【００４０】
＜マイク用受信手段＞
マイク用受信手段５１は、ワイヤレスマイク２７ａ，２７ｂの演奏中止スイッチ２８ａ，２８ｂからの演奏中止指示信号を受信するための手段である。本実施形態のマイク用受信手段５１は、赤外線通信により、演奏中止スイッチ２８ａ，２８ｂからの演奏中止指示信号を受信するようになっている。
【００４１】
＜演奏中止制御＞
次に、図２〜図４を参照して、本発明の実施形態の演奏中止機能付きカラオケシステムによる演奏中止制御を説明する。
＜第１の実施形態＞
まず、演奏中止制御の第１の実施形態を説明する。図２は、第１の実施形態に係る演奏中止制御の説明図である。第１の実施形態は本発明の基本形態であり、音声入力がされているワイヤレスマイク（２７ａ又は２７ｂの少なくとも一方）について、その演奏中止指示手段からの演奏中止指示を有効化させるものである。
【００４２】
第１の実施形態では、図２に示すように、マイク別音声入力判定手段４９の機能により、ワイヤレスマイクＡ（２７ａ）とワイヤレスマイクＢ（２７ｂ）からの音声入力の有無を判定する。図２に示す例では、ワイヤレスマイクＡ（２７ａ）のみについて、音声が入力されていると判定される。そして、演奏中止機能制御手段５０の機能により、音声が入力されていると判定されたワイヤレスマイクＡ（２７ａ）のみについて、演奏中止スイッチ２８ａからの演奏中止指示信号を有効化させる。
【００４３】
すなわち、歌唱者が使用しているワイヤレスマイクＡ（２７ａ）からの演奏中止指示信号のみが有効なものとなり、当該有効な演奏中止指示信号を受信した場合のみに演奏中止手段４８ａが機能し、演奏中止手段４８ａの制御により、カラオケ楽曲の演奏が中止される。この場合、マイク別音声入力判定手段４９の機能により、音声が入力されていないと判定されたワイヤレスマイクＢ（２７ｂ）については、演奏中止スイッチ２８ｂからの演奏中止指示信号が無効化され、当該ワイヤレスマイクＢ（２７ｂ）の演奏中止スイッチ２８ｂからの演奏中止指示信号を受信したとしても、演奏中止手段４８ａは機能しない。
【００４４】
＜演奏中止制御／第２の実施形態＞
次に、演奏中止制御の第２の実施形態を説明する。図３及び図４は、第２の実施形態に係る演奏中止制御の説明図である。第２の実施形態は、音声入力がされているワイヤレスマイク（２７ａ及び２７ｂ）の双方からの演奏中止指示があった場合のみに、その演奏中止指示を有効化させるものである。
【００４５】
第２の実施形態では、デュエット曲のように、ワイヤレスマイクＡ（２７ａ）及びワイヤレスマイクＢ（２７ｂ）が同時に使用されている場合に、複数の歌唱者がそれぞれ使用しているワイヤレスマイクＡ（２７ａ）及びワイヤレスマイクＢ（２７ｂ）からの演奏中止指示信号を受信した場合のみに、演奏中止機能が働くようになる。すなわち、図３及び図４に示すように、マイク別音声入力判定手段４９の機能により、ワイヤレスマイクＡ（２７ａ）とワイヤレスマイクＢ（２７ｂ）からの音声入力の有無を判定する。図３及び図４に示す例では、ワイヤレスマイクＡ（２７ａ）及びワイヤレスマイクＢ（２７ｂ）の双方から音声が入力されていると判定される。
【００４６】
そして、演奏中止機能制御手段５０の機能により、音声が入力されていると判定されたワイヤレスマイクＡ（２７ａ）及びワイヤレスマイクＢ（２７ｂ）の双方から演奏中止指示信号を受信した場合のみに、その演奏中止スイッチ２８ａ，２８ｂからの演奏中止指示信号を有効化させる。すなわち、図３に示すように、ワイヤレスマイクＡ（２７ａ）及びワイヤレスマイクＢ（２７ｂ）の双方の演奏中止スイッチ２８ａ，２８ｂからの演奏中止指示信号を受信した場合のみに、演奏中止指示が有効化され、演奏中止手段４８ａが機能してカラオケ楽曲の演奏が中止される。
【００４７】
一方、図４に示すように、ワイヤレスマイクＡ（２７ａ）の演奏中止スイッチ２８ａからの演奏中止指示信号のみを受信し、ワイヤレスマイクＢ（２７ｂ）の演奏中止スイッチ２８ｂからの演奏中止指示信号を受信しない場合には、その演奏中止指示が無効化されて、演奏中止手段４８ａが機能せず、カラオケ楽曲の演奏は中止されない。ワイヤレスマイク（２７ｂ）の演奏中止スイッチ２８ｂからの演奏中止指示信号のみを受信し、ワイヤレスマイクＡ（２７ａ）の演奏中止スイッチ２８ａからの演奏中止指示信号を受信しない場合も同様である。
【００４８】
＜他の実施形態＞
本発明の演奏中止機能付きカラオケシステム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４９】
＜ネットワークカラオケシステム＞
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者ＩＤ等を集中管理することにより、ネットワーク接続された各カラオケ演奏装置１１において同様のサービスを提供することができる。
【符号の説明】
【００５０】
１１  カラオケ演奏装置
２１  カラオケ本体
２２  カラオケリモコン装置
２２ａ  楽曲検索手段
２２ｂ  楽曲索引データベース
２３  表示装置
２４  ミキシングアンプ
２５  スピーカ
２６  ＦＭ受信器
２７ａ，２７ｂ  ワイヤレスマイク
２８ａ，２８ｂ  演奏中止スイッチ
４１  中央制御手段
４２  ＲＯＭ
４３  ＲＡＭ
４３ａ  予約待ち行列
４４  ＨＤＤ
４４ａ  楽曲データベース
４４ｂ  映像データベース
４５  送受信手段
４６  予約管理手段
４７  映像再生制御手段
４８  音楽再生制御手段
４８ａ  演奏中止手段
４９  マイク別音声入力判定手段
５０  演奏中止機能制御手段
５１  マイク用受信手段
【図１】
2010237387.tif 000003
【図２】
2010237387.tif 000004
【図３】
2010237387.tif 000005
【図４】
2010237387.tif 000006